(57)【要約】【課題】おむつの外面に色彩を付与して意匠性を向上させるとともに、インジケータの視認性が低下することのないパンツ型の着用物品【解決手段】  前ウエスト域１１及びクロッチ域１３の外面には、着色された繊維不織布から形成された外層シート３０が位置し、前ウエスト域１１には、横方向Ｘへ延び、外層シート３０に伸長状態で収縮可能に取り付けられた複数条のウエスト弾性体４１，４２が配置されており、ウエスト弾性体４１，４２の収縮によって外層シート３０に複数のギャザーが形成されて外観視において色の濃度が高くなっている第１有色域６１〜６４が画定される。インジケータ手段６０は、クロッチ域１３において吸収体１４と外層シート３０との間であって、横方向Ｘへ延びる弾性体が配置されておらず、かつ、外観視において第１有色域６１〜６４よりも色の濃度が低い第２有色域６５に位置し、インジケータ手段６０における尿接触後の色変化を外層シート３０の外側から視認することができる。【選択図】図１
2016010519.tif 000002
【特許請求の範囲】
【請求項１】
縦方向及び横方向を有し、前ウエスト域と、後ウエスト域と、前記前後ウエスト域間に位置するクロッチ域と、前記クロッチ域から前記縦方向へ延びる吸収体と、前記前後ウエスト域の両側縁部を連結することによって画定されるウエスト開口と一対のレッグ開口と、前記クロッチ域に配置された排尿の有無を識別可能なインジケータ手段とを含むパンツ型の着用物品において、
前記前ウエスト域及び前記クロッチ域の外面には、着色された繊維不織布から形成された外層シートが位置し、
前記前ウエスト域には、前記横方向へ延び、前記外層シートに伸長状態で収縮可能に取り付けられた複数条のウエスト弾性体が配置されており、前記ウエスト弾性体の収縮によって前記外層シートに複数のギャザーが形成されて外観視において色の濃度が高くなっている第１有色域が画定されており、
前記インジケータ手段は、クロッチ域において前記吸収体と前記外層シートとの間であって、前記横方向へ延びる弾性体が配置されておらず、かつ、外観視において前記第１有色域よりも色の濃度が低い第２有色域に位置し、
前記インジケータ手段における尿接触後の色変化を前記外層シートの外側から視認することができることを特徴とする前記着用物品。
【請求項２】
前記外層シートのＪＩＳＫ７３７５に基づく光線透過率は、少なくとも５０％である請求項１に記載の着用物品。
【請求項３】
前記吸収体と前記外層シートとの間には、前記吸収体の非肌対向面側に位置するプラスチックフィルムから形成された防漏フィルムが配置されており、前記インジケータ手段は前記吸収体と前記防漏フィルムとの間に位置し、前記防漏フィルムは前記インジケータ手段の変色前後の色と異なる色を有する請求項１又は２に記載の着用物品。
【請求項４】
前記前ウエスト域は、前記ウエスト弾性体が配置された、前記ウエスト開口に沿う外端部と前記外端部と前記縦方向において離間対向する内端部とを有し、前記外端部には、前記外層シートが積層された前記前ウエスト域のうちで外面視において最も色の濃い第１領域が画定される請求項１〜３のいずれかに記載の着用物品。
【請求項５】
前記前ウエスト域の前記内端部には、着色された補助シートが配置されており、前記補助シートが前記外層シートと同色又は類似色である請求項４に記載の着用物品。
【請求項６】
前記ウエスト弾性体は、前記外端部に配置された複数条の第１ウエスト弾性体と、前記第１ウエスト弾性体よりも前記縦方向の内側に位置する複数条の第２ウエスト弾性体とから構成されており、前記第１ウエスト弾性体どうしの離間寸法よりも前記第２ウエスト弾性体どうしの離間寸法が大きい請求項４又は５に記載の着用物品。
【請求項７】
前記前ウエスト域の前記内端部から前記クロッチ域へ凸曲状に延び、前記レッグ開口に沿う一対の曲状部と、前記クロッチ域において前記横方向へ延びる直状部とを有するレッグ弾性体をさらに有し、前記インジケータ手段は、前記一対の曲状部間に位置する請求項４〜６のいずれかに記載の着用物品。
【請求項８】
前記前ウエスト域の前記外端部に位置する第１領域と、前記前ウエスト域の前記内端部に位置する第２領域と、前記第１領域と前記第２領域との間に位置する第３領域と、前記クロッチ域の前記前ウエスト域側の部分に位置し、かつ、前記レッグ弾性体が配置された第４領域と、前記２領域と前記第４領域に囲まれた、前記インジケータ手段が位置する第５領域とに区分されており、前記第１領域が他の領域に比して外観視における色の濃度が最も高く、前記第５領域が他の領域に比して最も外観視における色の濃度が最も低い請求項７に記載の着用物品。
【請求項９】
前記第１〜第５領域の外観視における色の濃度の相関関係が、第１領域≧第２領域≧第４領域≧第３領域＞第５領域である請求項８に記載の着用物品。
【請求項１０】
前記第２ウエスト弾性体が前記吸収体の存在域において切断又は除去されて非弾性域が形成されており、前記外層シートとの対向面に前記外層シートの外側から視認可能な装飾要素を有する装飾シートが配置される請求項６〜９のいずれかに記載の着用物品。
【発明の詳細な説明】
【技術分野】
【０００１】
本発明は、パンツ型（プルオンタイプ）の着用物品に関する。
【背景技術】
【０００２】
従来、着色されたシートを使用したパンツ型の着用物品は公知である。例えば、特許文献１には、透液性の内層シートと、不透液性の外層シートと、内外層シート間に介在された吸収体と、吸収体と外層シートとの間に配置された、排尿の有無を識別するためのインジケータ機能を有する着色された（デザイン化された）防漏フィルムとを含む使い捨ておむつが開示されている。また、特許文献２には、透液性の内層シートと、不透液性の外層シートと、内外層シートの間に介在された吸収体とを有し、外層シートが着色されている使い捨てのおむつが開示されている。
【先行技術文献】
【特許文献】
【０００３】
【特許文献１】特開２００３−１９９７９１号公報（Ｐ２００３―１９９７９１）
【特許文献２】特開２０１２−１７０５７７号公報（Ｐ２０１２−１７０５７７）
【発明の概要】
【発明が解決しようとする課題】
【０００４】
特許文献１に開示されたおむつでは、吸収体の存在領域においてインジケータ機能を有する防漏フィルムが配置されていることによって、排尿の有無を外部から確認することができるとともに、インジケータのデザイン性及び防漏フィルム自体の色合いによって意匠性が向上する。また、特許文献２に開示された着用物品では、外層シートが着色されていることによって、おむつに着色によってデザイン性が付与され、意匠性が向上する。
【０００５】
しかし、特許文献１に開示されたおむつでは、吸収体の存在域に配置された防漏フィルムのみがデザイン性を有しているので、おむつの意匠性を向上させることができない。一方、特許文献２に開示されたおむつのように外層シートに着色したシートを使用しておむつの外面に色彩を付与した場合には、排尿時におけるインジケータの色彩やデザインの変化を視認することが困難になる。
【０００６】
そこで、本発明の目的は、従来の技術の改良であって、おむつの外面に色彩を付与して意匠性を向上させるとともに、インジケータの視認性が低下することのないパンツ型の着用物品の提供にある。
【課題を解決するための手段】
【０００７】
上記課題を達成するために、本発明が対象とするのは、縦方向及び横方向を有し、前ウエスト域と、後ウエスト域と、前記前後ウエスト域間に位置するクロッチ域と、前記クロッチ域から前記縦方向へ延びる吸収体と、前記前後ウエスト域の両側縁部を連結することによって画定されるウエスト開口と一対のレッグ開口と、前記クロッチ域に配置された排尿の有無を識別可能なインジケータ手段とを含むパンツ型の使い捨て着用物品である。
【０００８】
本発明は、上記パンツ型の使い捨て着用物品において、前記前ウエスト域及び前記クロッチ域の外面には、着色された繊維不織布から形成された外層シートが位置し、前記前ウエスト域には、前記横方向へ延び、前記外層シートに伸長状態で収縮可能に取り付けられた複数条のウエスト弾性体が配置されており、前記ウエスト弾性体の収縮によって前記外層シートに複数のギャザーが形成されて外観視において色の濃度が高くなっている第１有色域が画定されており、前記インジケータ手段は、クロッチ域において前記吸収体と前記外層シートとの間であって、前記横方向へ延びる弾性体が配置されておらず、かつ、外観視において前記第１有色域よりも色の濃度が低い第２有色域に位置し、前記インジケータ手段における尿接触後の色変化を前記外層シートの外側から視認することができることを特徴する。
【発明の効果】
【０００９】
本発明に係るパンツ型の着用物品によれば、前ウエスト域及びクロッチ域の外面が着色された外層シートから形成され、前ウエスト域にはウエスト弾性体の収縮によって生じるギャザーの影響で着色された繊維が比較的に密になって外観視において色の濃度が高くなっている第１有色域が形成され、意匠性が向上する。また、インジケータ手段は、横方向へ延びる弾性体が配置されず、かつ、第１有色域よりも外観視において色の濃度が低い第２有色域に位置しているので、変色前後において外層シートの外側から視認され、排尿の有無を確実に識別することができる。
【図面の簡単な説明】
【００１０】
図面は、本発明の特定の実施の形態を示し、発明の不可欠な構成ばかりでなく、選択的及び好ましい実施の形態を含む。
【図１】本発明に係る使い捨て着用物品の一例として示す、第１実施形態におけるパンツ型の使い捨ておむつの斜視図。
【図２】各弾性体の最大伸長時（弾性材料の収縮作用によるギャザーがなくなる程度）まで縦方向及び横方向に伸展したおむつの一部破断展開平面図。
【図３】おむつの分解斜視図。
【図４】図２に示す、ＩＶ−ＩＶ線に沿う模式的断面図。
【図５】各弾性体が僅かに収縮して外層シートにギャザーが形成されている状態における、前ウエスト域とクロッチ域の前方区域との平面図。
【図６】第２実施形態に係るおむつの分解斜視図。
【図７】第２実施形態に係るおむつの図５と同様の図。
【発明を実施するための形態】
【００１１】
＜第１実施形態＞
図１〜３を参照すると、本発明の第１実施形態に係る使い捨ての着用物品の一例である使い捨ておむつ１０は、縦方向Ｙ及びそれに直交する横方向Ｘを有し、肌対向面及びその反対側の非肌対向面と、前ウエスト域１１と、後ウエスト域１２と、前後ウエスト域１１，１２間に位置するクロッチ域１３と、クロッチ域１３を中心として前後ウエスト域１１，１２まで延出する吸液構造体１４とを含む。おむつ１０が展開された各図において、後述する各弾性体は、その収縮力に抗して伸長された状態にある。おむつ１０は、その横方向Ｘにおける寸法と２等分する縦軸Ｐと、その縦方向Ｙの寸法を２等分する横軸Ｑとを有する。クロッチ域１３は、説明の便宜上、横軸Ｐから前ウエスト域１１側へ延びる前方区域２１と、前記横軸Ｑから前記後ウエスト域側へ延びる後方区域２２とに区分される。クロッチ域１３の前方区域２１には、排尿の前後において色変化が生じるインジケータ手段６０が配置される。なお、各図においてドットで示す領域は、外層シート３０に付された色の濃さを示すものであって、ドットの密度が高いほどに外観視における色の濃度が高い領域を意味する。また、本実施形態において、「おむつの外観視において、色の濃度が高い」とは、弾性体が配置されることによって生じるギャザーの影響によって繊維が密になり外観視において外層シート３０に着色された色が濃く視えたり、着色されたシートを外層シート３０に積層することによって外観視において色が濃く視えたりすることを意味する。したがって、自然状態（図２に示す弾性体が伸長された状態）における外層シート３０の色の濃度を表すものではない。
【００１２】
おむつ１０は、横方向Ｘへ延びる前後端部（前後ウエスト域１１、１２の外端部）１７，１８と、縦方向Ｙへ延びて横方向Ｘにおいて対向する両側縁部１９とを有し、両側縁部１９は、着用者の大腿部に沿ってフィットするようにクロッチ域１３において凹曲状を有する。前ウエスト域１１の前側縁部１１ａ，１１ｂと後ウエスト域１２の後側縁部１２ａ，１２ｂとは、おむつ１０の着用状態における前後方向において互いに対向する各側縁部どうしが縦方向Ｙへ断続的に延びるサイドシーム２３によって連結されることによってウエスト開口２４及び一対のレッグ開口２５が画定される。サイドシーム２３では、熱又は超音波によるエンボス加工によって互いに重なり合うシートどうしが融着される。
【００１３】
おむつ１０は、非肌対抗面に位置し、前後ウエスト域１１，１２及びクロッチ域１３に一連に延びる外層シート（着色シート）３０と、肌対向面に位置し、外層シート３０とほぼ同形状の内層シート３１とを有する。内層シート３１は、中央部に開口３２を有し、吸液構造体１４の一部が内面視において露出している。外層シート３０は、内層シート３１よりも縦方向Ｙの寸法が大きく、内層シート３１の前後端縁から縦方向Ｙの外側へ延出する延出部３０ａ，３０ｂを有する。
【００１４】
外層シート３０と内層シート３１との間には、前後ウエスト域１１，１２の前後側縁部間において横方向Ｘへ延びる複数条の第１及び第２ウエスト弾性体４１，４２と、クロッチ域１３から前後ウエスト域１１，１２の内端部４３，４４まで延びる第１及び第２レッグ弾性体４５，４６とが伸長状態で収縮可能に配置される。第１ウエスト弾性体４１は、前後ウエスト域１１，１２の外端部（前後端部１７，１８）に沿って横方向Ｘへ延びており、第２ウエスト弾性体４２は、第１ウエスト弾性体４１よりも縦方向Ｙの内方に位置しており、その一部がおむつ１０の平面視において吸液構造体１４と重なって位置している。
【００１５】
第１及び第２レッグ弾性体は４５，４６、横軸Ｑへ向かって凸曲した形状を有する。第１レッグ弾性体４５は、クロッチ域１３の前方区域２１の側縁に沿って前ウエスト域１１の内端部４３まで延びる曲状部４５ａと、前方区域２１において横軸Ｑに沿って横方向Ｘへ延びる直状部４５ｂとを有する。第２レッグ弾性体４６は、クロッチ域１３の後方区域２２の側縁に沿って後ウエスト域１２の内端部４４まで延び、かつ、横軸Ｑと交差する曲状部４６ａと、前方区域２１において横方向Ｘへ延びる直状部４６ｂとを有する。第２レッグ弾性体４６が、前方区域２１にまで延在していることによって、第１レッグ弾性体４５と第２レッグ弾性体４６とが交差する交差部分４９は前方区域２１に位置し、互いの直状部４５ｂ，４６ｂが前方区域２１において縦方向Ｙに所与寸法離間している。本実施形態においては、第１及び第２レッグ弾性体４５，４６は前方区域２１で交差しているが、後記の本願発明の効果を奏する限りにおいて、互いに直状部４５ｂ，４６ｂを有さず、曲状部４５ａ，４６ｂのみから形成されてインジケータ手段６０の両側においてレッグ開口縁部に沿って延びていてよいし、第１レッグ弾性体４５のみが配置されていてもよい。
【００１６】
外層シート３０の延出部３０ａ，３０ｂは、折曲ライン５０に沿って内方へ折り曲げられて、内層シート３１にホットメルト接着剤を介して接合される。延出部３０ａ，３０ｂがかかる接合態様をなすことによって、延出部３０ａ，３０ｂが内外層シート３０，３１間に固定された第１ウエスト弾性体４１を肌対向面側から被覆するので、前後ウエスト域１１，１２の外端部（前後端部１７，１８）は、着色された外層シート３０が複数（２層）積層されて形成される。また、第１及び第２レッグ弾性体４５，４６と第２ウエスト弾性体４２とが交差する前後ウエスト域１１，１２の内端部４３，４４においては、第２ウエスト弾性体４２の一部を被覆するように補助シート（着色シート）５１が配置される。補助シート５１を配置することによって、レッグ開口におけるシート強度が向上されるとともに、第２ウエスト弾性体４２と交差する１及び第２レッグ弾性体４５，４６が抜け出るのを防止する役割を果たし得る。
【００１７】
内外層シート３０，３１及び補助シート５１としては、例えば、不透液性であって好ましくは通気性を有する、質量が約１０〜４０ｇ／ｍ２、繊維密度が約０．０３〜０．１ｇ／ｃｍ３のスパンボンド繊維不織布、ＳＭＳ（スパンボンド・メルトブローン・スパンボンド）繊維不織布、エアスルー繊維不織布等を各種公知の繊維不織布を用いることができる。外層シート３０は、インジケータ手段６０が外面から視認される程度の光線透過率を有する。具体的には、ＪＩＳ  Ｋ７３７５に基づく光線透過率が５０％以上、好ましくは、６０％以上、さらに好ましくは７０％以上である。外層シート３０は、複数の繊維不織布を積層して形成することもできるが、インジケータ手段６０の視認性を考慮して、所要の光線透過率を備えた１枚の繊維不織布から形成することが好ましい。
【００１８】
また、外層シート３０と補助シート５１とには、全体に無彩色または有彩色の顔料が添加されて、ほぼ均一に着色されている。外層シート３０と補助シート５１とを形成する繊維不織布は、それらの自然状態（弾性体が配置されている場合には、それらが伸長状態された状態）における外観視において着色された色がほぼ均一になるように、シートの厚さや繊維密度は全体的にほぼ同じである。印刷によっても外層シート３０と補助シート５１とを着色することは可能であるが、原料樹脂に顔料又は染料を添加して構成繊維を着色させることによって、プラスチックフィルムと異なり地合いむらのある繊維不織布であっても、均一に着色させることができる。外層シート３０と補助シート５１との構成繊維を着色する色は異なるものであってもよいが、同色又は類似色とすることによって、それらのシートが積層されたときに外観視において外層シート３０の色の濃度がより濃くなる。外層シート３０及びインジケータ手段６０が塗布された防漏フィルム５６は、インジケータ手段６０の変化前後の色と異なる色であって、それらを対比したときに、目視で互いに判別可能な有彩色に着色されていることが好ましい。外層シート３０に採用する有彩色は、マンセル色相環等の公知の色相環を用いて任意に選定することが好ましい。例えば、インジケータ手段６０の変色前後の色が赤色と青色である場合には、外層シート３０及び防漏フィルム５６の色として、黄色系統又は緑色系統の色を選定することができる。また、外層シート３０の色は、インジケータ手段６０の変色後の色の補色であってもよい。かかる場合には、外層シート３０の光線透過率が着色により低下した場合でも、尿が排泄されたときにインジケータ手段６０の変色を際立たせることができる。外層シート３０は、着色されているにも関わらず、既述のとおり比較的に高い光線透過率を有するものであるから、外観上は実際に着色されている色よりも淡い色として現れる。
【００１９】
第１及び第２ウエスト弾性体４１，４２としては、例えば、繊度が約４００〜１２００ｄｔｅｘであって，約１．５〜３．５倍に伸長された状態で配設されたストリング状又はストランド状の弾性材料を用いることができる。第１及び第２ウエスト弾性体４１，４２の太さ、伸長倍率、各弾性体間の離間寸法（ピッチ）等の条件は適宜変更することが可能であるが、着用者の身体に安定的に着用されるために、第１ウエスト弾性体４１による伸縮域の伸長力が第２ウエスト弾性体４２による伸縮域のそれよりも大きくなるように各弾性体の条件を設定することが好ましい。また、第１及び第２レッグ弾性体４５，４６としては、例えば、繊度が約３５０〜６００ｄｔｅｘであって、約１．５〜３．５倍に伸長された状態で配設されたストリング状又はストランド状の弾性材料を用いることができる。
【００２０】
図２〜４を参照すると、吸液構造体１４は、パッド状の吸液性を有する吸収体５３と、肌対抗面側に位置して透液性を有する不織布製の身体側ライナ５４と、身体側ライナ５４の横方向Ｘにおける両側に配置された一対のバリアカフシート５５と、吸収体５３と外層シート３０との間に配置された形成された防漏フィルム５６とを有する。吸収体５３は、フラッフパルプと、吸収性ポリマー粒子等との混合物から形成された芯材と、芯材全体を包被するティシュペーパ等の液拡散性のコアラップシートとを有する。防漏フィルム５６は、不透液性かつ通気性を有するプラスチックフィルムから形成される。
【００２１】
一対のバリアシート５５は、互いに横方向Ｘにおいて離間して配置されており、身体側ライナ５４の両側にホットメルト接着剤を介して固定された近位縁部と、身体側ライナ５４の前後端部にホットメルト接着剤を介して固定された前後固定端部と、前後固定端部間において縦方向Ｙへ延びる、バリアカフシート５５の側部を折曲して固定することによって形成されたスリーブ状の遠位縁部とを有する。遠位縁部の内部には、カフ弾性体５７が伸長状態で収縮可能に取り付けられる。おむつ１０の着用状態において、内層シート３１の開口３２から露出されるバリカフシート５５において、カフ弾性体５７が収縮することによって遠位縁部が身体側ライナ５４から着用者の身体側へ離間し、着用者の大腿部にフィットして排泄物の漏れを防止する防漏壁が形成される。
【００２２】
既述のとおり、クロッチ域１３の前方区域２１において、吸収体５３と防漏フィルム５６との間には、排尿の有無を母親や着用者自らに知らせるためのインジケータ手段６０が配置される。インジケータ手段６０は、縦方向Ｙにおいて互いに離間して横方向Ｘへ延びる複数のライン状を有し、尿等の体液に濡れると呈色又は変色して外部から視認可能となるインク層とホットメルト接着剤とから形成されているものであって、防漏フィルム５６の吸収体５３との対向面に塗布されている。このように、防漏フィルム５６の吸収体５３との対向面にインジケータ手段６０を配置することによって、それを防漏フィルム６０の外層シート３０との対向面に配置する場合に比して、吸収体５３から滲出した尿に速やかに接触することができ反応性に優れる。ただし、かかる場合には、インジケータ手段６０は、防漏フィルム５６と外層シート３０とを透過して視認されるので、防漏フィルム５６は少なくとも外層シート３０と同等の全光線透過率、すなわち、少なくとも５０％以上の光線透過率（JISK7375に基づく）を有することが必要である。また、外層シート３０と防漏フィルム５６との２層が積層された状態における光線透過率が約４０％以上であることが好ましい。
【００２３】
また、本実施形態と異なり、防漏フィルム５６の外層シート３０と対向する面にインジケータ手段６０を配置してもよい。かかる場合には、インジケータ手段６０は、本実施形態の配置態様に比して反応性に劣るものの、外層シート３０のみを透過して視認されるので、視認性に優れる。また、インジケータ手段６０は、インク層のみから形成するほかに、インク層と好ましくは所要量の界面活性剤を含有した基材シートとから形成することができる。インジケータ手段６０のインク層は、この種の分野において用いられる公知の材料、例えば、ＰＨ指示薬を含有したインク材料等を用いたものであって、尿に接触することによって変色する。インジケータ手段６０は、その意匠性を向上させるために、ライン状のほかに、各種公知の図形、装飾模様、絵柄、文字等であってもよい。インジケータ手段６０の排尿前後の色は、無彩色又は有彩色のいずれかであるが、外層シート３０に着色された色と区別して視認されるように、外層シート３０に着色された色と異なる色（類似色ではない）ことが好ましい。
【００２４】
図５は、各弾性体４１，４２，４５が僅かに収縮して外層シート３０にギャザーが形成された状態における、前ウエスト域１１と前方区域２１との平面図である。図５を参照すると、おむつ１０が前記基本構成を有することによって、おむつ１０の正面視において、外層シート３０の着色された色の濃度が外観視において相違する領域が複数形成される。具体的には、おむつ１０の正面視において、着色された色の濃度の相違によって、前ウエスト域１１の外端部１７に位置する第１領域６１と、前ウエスト域１１の内端部４３に位置する第２領域６２と、第１領域６１と第２領域６２との間に位置する第３領域６３と、クロッチ域１３の前方区域２１においてレッグ開口縁部に沿って位置する第４領域６４と、前方区域２１において第２及び第４領域６２，６４に囲まれた、インジケータ手段６０が配置された第５領域６５とに区分される。
【００２５】
第１〜第４領域６１〜６４においては、第１ウエスト弾性体４１、第２ウエスト弾性体４２及び第１レッグ弾性体４５が配置されており、該領域には外面視において視認できる程度の複数の大小のギャザーが形成される。おむつ１０の外面に複数のギャザーが形成されることによって、繊維不織布から形成された外層シート３０を構成する着色された繊維が、ギャザーが形成されていない部分に比して密になり、色の濃度が高くなる。したがって、各弾性体４１，４２，４５が配置されて外面に複数のギャザーが形成された第１〜第４領域６１〜６４は、弾性体が配置されておらず外面にギャザー形成されない第５領域６５に比して、おむつ１０の外観視において色の濃度が高くなるといえる。かかることから、第１〜第４領域６１〜６４を色高密度視認域（第１有色域）、第５領域６５を色低密度視認域（第２有色域）とそれぞれ定義することもできる。
【００２６】
このように、弾性体の収縮作用によって生じるギャザーの影響や着色シートの積層等によって、均一に着色された外層シート３０の色の濃淡を外観視において識別できる程度に設けることによって、色のグラデーションやコントラストが生じ、意匠性が向上する。また、印刷おいてインク量を調整して色の濃淡を設ける場合に比して、簡易であって、生産コストを抑えることができる。インジケータ手段６０の配置された第５領域６５は、おむつ１０の正面視において外層シート３０を形成する着色された繊維が他の領域と比較的に疎になることによって、色の濃度が低く、インジケータ手段６０の視認性が着色によって妨げられるのを防止することができる。なお、本実施形態において、「外層シート３０の着色された繊維が密になる」とは、各弾性体の収縮作用によって外層シート３０に形成されたギャザー部分において外層シート３０の一部が折り重ねられて、各弾性体が収縮した状態にけるおむつの３０の平面視において、外層シート３０の単位面積当たり（例えば、１．０ｃｍ２）の着色された繊維の質量がギャザーが形成されていない状態に比して高くなることを意味する。
【００２７】
また、第１領域６１においては、内層シート３１と積層された外層シート３０の部分とその延出部３０ａとが平面視において互いに重なり合っており、着色されたシートが２層位置することから、第１ウエスト弾性体４１の収縮作用によるギャザーの形成と相俟って、着色された繊維がさらに密になる。同様に、第２領域６２においては、外層シート３０と着色された補助シート５１とが平面視において互いに重なり合っており、着色されたシートが２層位置することから、第２ウエスト弾性体４２の収縮作用によるギャザーの形成と相俟って、着色された繊維がさらに密になる。したがって、第１及び第２領域６１，６２は、着色されたシートが複数積層されていない第３及び第４領域６３，６４に比して、外観視において色の濃度が高くなるといえる。さらに、第１ウエスト弾性体４１の離間寸法（ピッチ）を第２ウエスト弾性体４２に比べて小さく設定することによって、第１領域６１により多くの細かいギャザーを形成して第２領域６２よりも繊維を密にすることができる。さらにまた、第１レッグ弾性体４１の離間寸法を第２ウエスト弾性体４２の離間寸法よりも小さく設定することによって、第４領域６４により多くの細かいギャザーを形成して、第３領域６３よりも繊維を密にすることもできる。
【００２８】
以上のことから、各領域６１〜６５における前ウエスト域１１及びクロッチ域１３の前方区域２１の色の濃度の相関関係は、第１領域６１≧第２領域６２≧第４領域６４≧第３領域６３＞第５領域６５となる。このように、おむつ１０の正面視において、色の濃度の異なる領域が複数存在することによって、色のグラデーションやコントラストが明瞭となり、意匠性が向上する。また、比較的に高濃度の第１及び第２領域６１，６２が前ウエスト域１１の内外端部１７，４３に配置されていることによって、おむつ１０の着用状態における前ウエスト域１１の位置を外部から容易に認識することができ、上下において位置ずれしていたおむつ１０の位置を着用者の身体に合せた適正な位置に容易に修正するための位置決めとして機能しうる。
【００２９】
なお、補助シート５１はオプションであるから、第２領域６２に補助シート５１が配置されない場合も考えられる。かかる場合には、第２区域６２と第３区域６３との色の濃度は、ほぼ同等となる。また、第１及び第２レッグ弾性体４５，４６の離間寸法を第２ウエスト弾性体４２と同等にすることも考えらえる。したがって、各領域における前ウエスト域１１及び前方区域２１の色の濃度の相関関係は、上記のほかに、第１領域６１＞第２領域６２≒第３領域６３≒第４領域６４＞第５領域６５となる。また、第３領域６３は、その中央部が平面視において吸液構造体１４と重なっていることから、吸液構造体１４が白色等の無彩色のときにはそれが透過して外観視において外層シート３０に着色された色が第３領域６３の両側部に比して薄く視える。
【００３０】
既述のとおり、インジケータ手段６０の配置された第５領域６５は弾性体が配置されておらず、その収縮作用によるギャザーが形成されていないことによって、おむつ１０の正面視において最も外層シート３０の色の濃度が低い領域である。インジケータ手段６０は、それよりも色の濃度が高い第２領域６２と第４領域６４とに囲まれることによって、正面視においてより着用者/着用補助者の目を惹きつける。吸液構造体１４と重なる領域に位置し、それを取り囲む第２及び第４領域６２，６４とは所与寸法離間しているので、各領域に配置された第１レッグ弾性体４１及び第２ウエスト弾性体４２の収縮作用によるギャザーがインジケータ手段６０の配置領域に形成されることはない。第５領域６５は、比較的に色の濃度が高い第２領域６２に隣接するので、その色のコントラストが明瞭となり、インジケータ手段６０の視認性が向上する。
【００３１】
例えば、外層シート３０がピンク色で防漏シート５６及び吸液構造体１４が白色である場合には、インジケータ手段６０の位置する第５領域６５は比較的に外層シート３０の色の濃度が低いことから、防漏シート５６及び吸液構造体１４の白色が透過される。したがって、第１有色域を形成する各域６１〜６４において、濃いピンク色と淡いピンク色が混在して色のグラデーションが生じるほかに、外層シート３０から透過される白色とそれらのピンク色とによってコントラストが形成され、白色の第５領域６５に位置するインジケータ手段６０（例えば、黄色）が外観上より際立って、視認性し易くなる。
【００３２】
また、インジケータ手段６０のうちで、最も前ウエスト域１１側に位置する最外部分６０ａは、第２ウエスト弾性体４２の配置された第２領域６２に近接しており、その収縮作用による影響を受けるおそれがあるところ、第２領域６２においては内外層シート３０,３１に加えて補助シート５１が配置されることによって、第２ウエスト弾性体４２の収縮が抑制されることも考えられ、その収縮によって最外部分６０ａ及びその近傍にギャザーが形成され難くなるといえる。したがって、インジケータ手段６０の最外部分６０ａにおいて着色された繊維が比較的に密になって、インジケータ手段６０にそれを変形されるようなギャザーが形成されるおそれはない。
【００３３】
なお、各弾性体がおむつ１０の平面視において互いに重なり合う部分、例えば、前側縁部１１ａ，１１ｂの内端において第２ウエスト弾性体４２の端部と第１レッグ弾性体４１の端部とが互いに重なり合う交差部分７０や第１レッグ弾性体４５と第２レッグ弾性体４６との交差部分４９においては、互いに重なり合う弾性体の収縮力によって各弾性体が配置された他の部分に比してより繊維が密になり、色の濃度が高くなることが考えられる。したがって、該交差部分４９，７０によって色濃度が局所的に高くなることによって、おむつ１０の前面視における色の濃淡によるバリエーションが増えて意匠性に優れる。また、インジケータ手段６０の縦方向Ｙの内外側には、それぞれ、第２区域６２と第４区域６４のなかでも濃度の高い交差部分４９とが位置していることによって、おむつ１０の正面視においてインジケータ手段６０をより際立たせることができる。
【００３４】
＜第２実施形態＞
本実施形態に係るおむつ１０の基本構成は、第１実施形態と同様であるので、相違する構成についてのみ以下に説明する。なお、図７は、図５と同様に、各弾性体４１，４２，４５が僅かに収縮して外層シート３０にギャザーが形成された状態における、前ウエスト域１１と前方区域２１との平面図である。
【００３５】
図６及び７を参照すると、本実施形態に係るおむつ１０では、前後ウエスト域１１，１２において第２ウエスト弾性体４２が部分的に切断又は除去されることによって、伸縮作用が実質的に発現されていない非弾性域７１，７２が位置する。非弾性域７１，７２は、前後ウエスト域１１，１２の中央部であって、吸液構造体１４の前後端部と平面視において重なる部分に位置する。このように、吸液構造体１４と重なる部分に非弾性域７１，７２が配置されることによって、第２ウエスト弾性体４２による収縮力が直接作用することによって生じる、吸液性能の低下を招くような大きな皺や折れ曲がりが吸液構造体１４に形成されるのを抑制することができる。非弾性域７１，７２は、第２ウエスト弾性体４２の一部をスナップバック（弾性体のうちシートに固着されていない非固着部分が、自らの収縮によりシートに固着されている接合端部近傍まで戻ること）させたり、熱処理又は化学処理してその伸縮力が実質的に機能しないようにする等各種公知の手段によって形成することができる。
【００３６】
本実施形態においては、前ウエスト域１１の中央部に第２ウエスト弾性体４２の伸縮機能が実質的に発現されない非弾性域７１が位置するので、該領域にはギャザーが形成されず、外層シート３０を構成する着色された繊維が密になることはなく、両側に位置する第３領域６３よりも色の濃度が低い第６領域６６が位置する。また、インジケータ手段６０が配置された第５領域６５と同様に吸液構造体１４が配置された領域であるので、第６領域６６は、第５領域６５と同じ色の濃度を有する。このように、前ウエスト域１１において、第１領域６１と、一対の第３領域６３、及び第２領域６２に囲まれた第５領域６５とほぼ同じ色合いを有する第６領域６６とが位置するので、色のグラデーション及び濃淡変化による意匠性が向上する。また、同じ色の濃度を有する第５領域６５と第６領域６６とが第２領域を挟んで縦方向Ｙに並んでいることによって、それらの対比によって排尿時におけるインジケータ手段６０の色変化をより明瞭に識別することができる。
【００３７】
非弾性域７１，７２には、外層シート３０との対向面に図柄やキャラクター等の装飾要素が配置された装飾シート（パッチ）７５，７６が配置される。装飾シート７５、７６が、非弾性域７１，７２に配置されることによって、第２ウエスト弾性体４２による収縮力が装飾シート７５，７６に作用され難くなり、ギャザーが形成されて装飾要素が変形したり見え難くなったりすることはない。装飾要素は、着色された外層シート３０から視認できるように、外層シート３０の色と異なる色を有していたり、外層シート３０と重なることによって、前後ウエスト域１１，１２の他の部分とは外観上識別しうる色を生じるような色合いを有していてもよい。
【００３８】
本明細書においては、主として、おむつ１０の正面視を構成する前ウエスト域１１とクロッチ域１３の前方区域２１とにおける色の濃度について述べたが、外層シート３０がおむつの外面全体を形成する限りにおいて、後ウエスト域１２及び後方区域２２においても同様の構成及びそれによる効果が生じるものといえる。したがって、例えば、第１レッグ弾性体４５と第２レッグ弾性体２６とを後方区域２２において交差するように配置し、かつ、インジケータ手段６０を後方区域２２に配置した場合には、おむつ１０の背面視において、おむつ１０の正面視のような色の濃度の相関関係が生じることになる。
【００３９】
本発明に係るおむつ１０を構成する各構成材料には、明細書に記載されている材料のほかに、この種の物品において通常用いられている各種公知の材料を制限なく用いることができる。また、おむつ１０全体の外面が１枚の外層シート３０から形成された構成ではなく、前後ウエスト域１１，１２及びクロッチ域１３が別々のウエストパネルから構成され、外層シートが複数の着色されたシートから形成される態様であってもよい。また、明細書及び特許請求の範囲において、「第１」，「第２」及び「第３」等の用語は、同様の要素、位置等を単に区別するために用いられる。
【００４０】
以上に記載した本発明に関する開示は、少なくとも下記事項に整理することができる。
縦方向及び横方向を有し、前ウエスト域と、後ウエスト域と、前記前後ウエスト域間に位置するクロッチ域と、前記クロッチ域から前記縦方向へ延びる吸収体と、前記前後ウエスト域の両側縁部を連結することによって画定されるウエスト開口と一対のレッグ開口と、前記クロッチ域に配置された排尿の有無を識別可能なインジケータ手段とを含むパンツ型の着用物品において、前記前ウエスト域及び前記クロッチ域の外面には、着色された繊維不織布から形成された外層シートが位置し、前記前ウエスト域には、前記横方向へ延び、前記外層シートに伸長状態で収縮可能に取り付けられた複数条のウエスト弾性体が配置されており、前記ウエスト弾性体の収縮によって前記外層シートに複数のギャザーが形成されて外観視において色の濃度が高くなっている第１有色域が画定されており、
前記インジケータ手段は、クロッチ域において前記吸収体と前記外層シートとの間であって、前記横方向へ延びる弾性体が配置されておらず、かつ、外観視において前記第１有色域よりも色の濃度が低い第２有色域に位置し、前記インジケータ手段における尿接触後の色変化を前記外層シートの外側から視認することができる。
【００４１】
上記段落に開示した本発明に係る使い捨て着用物品は、少なくとも下記の実施の形態を含むことができる。
（１）前記外層シートのＪＩＳＫ７３７５に基づく光線透過率は、少なくとも５０％である。
（２）前記吸収体と前記外層シートとの間には、前記吸収体の非肌対向面側に位置するプラスチックフィルムから形成された防漏フィルムが配置されており、前記インジケータ手段は前記吸収体と前記防漏フィルムとの間に位置し、前記防漏フィルムは前記インジケータ手段の変色前後の色と異なる色を有する。
（３）前記前ウエスト域は、前記ウエスト弾性体が配置された、前記ウエスト開口に沿う外端部と前記外端部と前記縦方向において離間対向する内端部とを有し、前記外端部には、前記外層シートが積層された前記前ウエスト域のうちで外面視において最も色の濃い第１領域が画定される。
（４）前記前ウエスト域の前記内端部には、着色された補助シートが配置されており、前記補助シートが前記外層シートと同色又は類似色である。
（５）前記ウエスト弾性体は、前記外端部に配置された複数条の第１ウエスト弾性体と、前記第１ウエスト弾性体よりも前記縦方向の内側に位置する複数条の第２ウエスト弾性体とから構成されており、前記第１ウエスト弾性体どうしの離間寸法よりも前記第２ウエスト弾性体どうしの離間寸法が大きい。
（６）前記前ウエスト域の前記内端部から前記クロッチ域へ凸曲状に延び、前記レッグ開口に沿う一対の曲状部と、前記クロッチ域において前記横方向へ延びる直状部とを有するレッグ弾性体をさらに有し、前記インジケータ手段は、前記一対の曲状部間に位置する。
（７）前記前ウエスト域の前記外端部に位置する第１領域と、前記前ウエスト域の前記内端部に位置する第２領域と、前記第１領域と前記第２領域との間に位置する第３領域と、前記クロッチ域の前記前ウエスト域側の部分に位置し、かつ、前記レッグ弾性体が配置された第４領域と、前記２領域と前記第４領域に囲まれた、前記インジケータ手段が位置する第５領域とに区分されており、前記第１領域が他の領域に比して外観視における色の濃度が最も高く、前記第５領域が他の領域に比して外観視における色の濃度が最も低い。
（８）前記第１〜第５領域の外観視における色の濃度の相関関係が、第１領域≧第２領域≧第４領域≧第３領域＞第５領域である。
（９）前記第２ウエスト弾性体が前記吸収体の存在域において切断又は除去されて非弾性域が形成されており、前記外層シートとの対向面に前記外層シートの外側から視認可能な装飾要素を有する装飾シートが配置される。
【符号の説明】
【００４２】
１０  おむつ（パンツ型の着用物品）
１１  前ウエスト域
１２  後ウエスト域
１３  クロッチ域
１４  吸液構造体
１７  前ウエスト域の外端部
３０  外層シート
４１  第１ウエスト弾性体（ウエスト弾性体）
４２  第２ウエスト弾性体（ウエスト弾性体）
４３  前ウエスト域の内端部
４５  第１レッグ弾性体（レッグ弾性体）
４５ａ  第１レッグ弾性体の曲状部
４５ｂ  第１レッグ弾性体の直状部
５６  防漏フィルム
６０  インジケータ手段
６１  第１領域（第１有色域）
６２  第２領域（第１有色域）
６３  第３領域（第１有色域）
６４  第４領域（第１有色域）
６５  第５領域（第２有色域）
７１  非弾性域
７５  装飾シート
【図１】
2016010519.tif 000003
【図２】
2016010519.tif 000004
【図３】
2016010519.tif 000005
【図４】
2016010519.tif 000006
【図５】
2016010519.tif 000007
【図６】
2016010519.tif 000008
【図７】
2016010519.tif 000009